(57)【特許請求の範囲】
【請求項１】
上部にランプガイド溝が形成され、下部に挿入部が形成されているホルダ本体と、
第１凹部に配置され、前記挿入部に露出されている第１端子部と前記ランプガイド溝の付近に配置されている第２端子部とを有する電源印加部材と、
前記ランプガイド溝から前記挿入部に向かう第３方向に前記第１凹部に挿入されたホルダーキャップと、を含み、
前記ランプガイド溝は、外部から提供されたランプの長手方向が第１方向に位置するように形成され、
前記挿入部は、前記電源印加部材の前記第１端子部を露出させるように所定深さを有しており、外部から提供された電源供給ユニットが第２方向に挿入されるように形成されており、
前記第２端子部は、一対の第１電源端子及び第２電源端子を有しており、前記第１電源端子及び前記第２電源端子は対となって先端が先細るように形成され、かつ、前記先端が互いに対向する方向に折り曲げられており、
前記ホルダーキャップは、前記第１電源端子及び前記第２電源端子の先細る先端の形状に対応して、前記第２電源端子の先細る先端の前記第３方向に対する傾斜と概ね一致するように傾斜を有する傾斜凹部を有しており、前記第３方向に挿入されることにより前記傾斜凹部が前記第１電源端子及び前記第２電源端子を互いに対向する方向に押圧することで、対向する方向に折り曲げられた先端においてランプを保持するランプホルダ。
【請求項２】
前記電源印加部材の前記第１端子部は、前記第１凹部から挿入部前記第２方向の反対方向に屈曲されている、請求項１に記載のランプホルダ。
【請求項３】
前記電源印加部材の前記第１端子部は、結合構造を有する、請求項２に記載のランプホルダ。
【請求項４】
前記結合構造は、フック形態を有する、請求項３に記載のランプホルダ。
【請求項５】
前記電源印加部材の前記第２端子部は、前記ランプガイド溝の付近に配置されており、前記ランプの外側端に位置したワイヤを支持するワイヤ収納部を有する、請求項１に記載のランプホルダ。
【請求項６】
前記第１端子部は、ランプ駆動電源が印加される電源入力部であり、前記第２端子部はランプの電極部に前記ランプ駆動電源を印加する電源出力部である、請求項１に記載のランプホルダ。
【請求項７】
一側エッジに沿って複数の電源出力端子が形成されている電源供給ユニットと、
請求項１〜６のいずれかに記載の複数のランプホルダと、
を含む電源供給モジュール。
【請求項８】
前記電源供給ユニットと対向し、前記ホルダ本体が挿入される固定溝が形成された絶縁プレートを更に含む、請求項７に記載の電源供給モジュール。
【請求項９】
前記第１端子部は、
前記電源供給ユニットの上面に接触される第１接触部と、  
前記電源供給ユニットの背面に接触される第２接触部と、を備える、請求項８に記載の電源供給モジュール。
【請求項１０】
前記電源出力端子は、前記電源供給ユニットの上面または背面に形成され、前記第１接続部または前記第２接続部と接触されている、請求項９に記載の電源供給モジュール。
【請求項１１】
請求項１〜６のいずれかに記載のランプホルダと、
前記ランプホルダがそれぞれ挿入される複数の開口が形成されている底板と前記底板の周辺部に配置されている側壁とを有する収納容器と、
前記ランプガイド溝によってガイドされるランプチューブ及び前記ランプチューブの端部から延長され、前記第２端子部に接触される電極部を有する複数のランプと、
前記底板の背面に露出された前記挿入部にスライド方式で挿入され、前記第１端子部と接触される電源出力端子が形成されている電源供給ユニットと、
を含むバックライトアセンブリ。
【請求項１２】
前記底板と前記電源供給ユニットとの間に介在され、前記ホルダ本体がそれぞれ挿入される固定溝が形成されている絶縁プレートを更に含む、請求項１１に記載のバックライトアセンブリ。
【請求項１３】
前記ランプとの干渉を防止する溝が形成されていて、前記ランプホルダをカバーしているサイドモールドと、
前記ランプの上部に配置され、前記側壁及び前記サイドモールドによって支持される光学ユニットと、を更に含む請求項１２に記載のバックライトアセンブリ。
【請求項１４】
前記側壁に配置され、前記ランプの周辺を囲み、前記ランプから出射された光を前記底板及び側壁が定義する収納空間側に反射しているランプリフレクタと、
出光面、前記出光面と対向する対向面及び前記出光面と対向面とを連結し前記ランプが配置されている側面を有する光ガイドプレートと、を更に含む請求項１２に記載のバックライトアセンブリ。
【請求項１５】
請求項１〜６のいずれかに記載のランプホルダと、
前記ホルダ本体がそれぞれスライド方式で挿入される固定溝が形成されている絶縁プレートと、
前記絶縁プレートに固定された前記ランプホルダがそれぞれ挿入される複数の開口が形成された底板と前記底板の周辺部に配置された側壁と、を有する収納容器と、
前記ランプガイド溝によってガイドされるランプチューブと前記ランプチューブの端部から延長され、前記第２端子部に接触される電極部とを有する複数のランプと、
前記底板の背面に露出された前記挿入部にスライド方式で挿入され、前記第１端子部と接触される電源出力端子が形成されている電源供給ユニットと、
前記ランプの上部に配置されている光学ユニットと、
前記光学ユニットの上部に配置されている表示パネルと、
を含む表示装置。
【発明の詳細な説明】
【技術分野】
【０００１】
本発明は、ランプホルダ、電源供給モジュール、これを有するバックライトアセンブリ、及び表示装置に関する。より詳細には、電源供給基板との組立性が向上されたランプホルダ、電源供給モジュール、これを有するバックライトアセンブリ、及び表示装置に関する。
【背景技術】
【０００２】
一般的に、液晶表示装置に採用されるバックライトアセンブリは、光源の配置によって直下型バックライトアセンブリ（ｄｉｒｅｃｔ  ｄｏｗｎｗａｒｄ  ｔｙｐｅ  ｂａｃｋ  ｌｉｇｈｔ  ａｓｓｅｍｂｌｙ）及びエッジ型バックライトアセンブリ（ｅｄｇｅ  ｔｙｐｅ  ｂａｃｋ  ｌｉｇｈｔ  ａｓｓｅｍｂｌｙ）に区分される。
バックライトアセンブリに用いられる光源としては、冷陰極蛍光ランプ（ＣＣＦＬ）が代表的である。冷陰極蛍光ランプが採用された直下型バックライトアセンブリは、収納容器の底面上にランプを固定するためにランプホルダを含む。複数のランプを容易に組み立てるために、ランプの電極部とランプホルダとが挟み合うバックライトアセンブリが開発されたことがある。
【０００３】
バックライトアセンブリの組立において、ランプに駆動電圧を提供するために、複数のランプホルダとインバータに連結されたワイヤをはんだ付けしたり、複数の前記ランプホルダの端子を印刷回路基板にはんだ付けしたりしていた。
これによって、前記バックライトアセンブリの組立に長い時間が必要とされ、はんだ付けの工程のうち、ランプが損傷する場合が頻繁に発生するという問題点がある。また、不良のインバータを交替する場合、ランプをランプホルダから全て分離させた後にインバータを交替しなければならないので、作業の効率性が低下するという問題点がある。
【発明の開示】
【発明が解決しようとする課題】
【０００４】
本発明の技術的課題は、このような従来の問題点を解決するためのものであって、本発明の目的は、ランプ及び電源供給基板と着脱式で結合され、組立性が向上したランプホルダを提供することにある。
本発明の他の目的は、前記ランプホルダを含み、組立及び補修の容易な電源供給モジュールを提供することにある。
【０００５】
本発明の更に他の目的は、前記電源供給モジュールを含むバックライトアセンブリを提供することにある。
本発明の更に他の目的は、前記電源供給モジュールを含む表示装置を提供することにある。
【課題を解決するための手段】
【０００６】
前記課題を解決するために、本発明１は、下記の構成要素を含むランプホルダを提供する。
・上部にランプガイド溝が形成され、下部に挿入部が形成されているホルダ本体と、
・前記挿入部に露出されている第１端子部と前記ランプガイド溝の付近に配置されている第２端子部とを有する電源印加部材。
【０００７】
本発明２は、前記発明１において、前記電源印加部材は、前記ランプホルダの第１凹部に配置され、前記ランプガイド溝は、外部から提供されたランプの長手方向が第１方向に位置するように形成され、前記挿入部は、外部から提供された電源供給ユニットが第２方向に挿入されるように形成されているランプホルダを提供する。
本発明３は、前記発明２において、前記挿入部は、前記電源印加部材の前記第１端子部を露出させるように所定深さを有しているランプホルダを提供する。
【０００８】
本発明４は、前記発明２において、前記電源印加部材の前記第１端子部は、前記第１凹部から前記第２方向の反対方向に屈曲されているランプホルダを提供する。
本発明５は、前記発明４において、前記電源印加部材の前記第１端子部は、結合構造を有するランプホルダを提供する。
本発明６は、前記発明５において、前記結合構造は、フック形態を有するランプホルダを提供する。
【０００９】
本発明７は、前記発明２において、前記電源印加部材の前記第２端子部は、前記ランプガイド溝の付近に配置されており、前記ランプの外側端に位置したワイヤを支持するワイヤ収納部を有するランプホルダを提供する。
本発明８は、前記発明２において、前記ランプガイド溝から前記挿入部に向かって第３方向に前記第１凹部に挿入されたホルダーキャップを更に有する、ランプホルダを提供する。
【００１０】
本発明９は、前記発明２において、前記第１端子部は、ランプ駆動電源が印加される電源入力部であり、前記第２端子部はランプの電極部に前記ランプ駆動電源を印加する電源出力部である、ランプホルダを提供する。
本発明１０は、以下の構成を含む電源供給モジュールを提供する。
・一側エッジに沿って複数の電源出力端子が形成されている電源供給基板と、
・上部にランプガイド溝が形成され、下部に前記電源供給基板の前記一側が挿入される挿入部が形成されているホルダ本体と、前記挿入部に露出され、前記電源出力端子に接触される第１端子部及び前記ランプガイド溝の付近に配置されている第２端子部を備える電源印加部材。
【００１１】
本発明１１は、前記発明１０において、前記電源供給基板と対向し、前記ホルダ本体が挿入される固定溝が形成された絶縁プレートを更に含む、電源供給モジュールを提供する。
本発明１２は、前記発明１１において、前記第１端子部は、前記電源供給基板の上面に接触される第１接触部と、前記電源供給基板の背面に接触される第２接触部とを備える、電源供給モジュールを提供する。
【００１２】
本発明１３は、前記発明１２において、前記電源出力端子は、前記電源供給基板の上面または背面に形成され、前記第１接続部または前記第２接続部と接触されている、電源供給モジュールを提供する。
本発明１４は、以下の構成を含むバックライトアセンブリを提供する。
・上部にランプガイド溝が形成され、下部に挿入部が形成されているホルダ本体と、前記挿入部に露出された第１端子部及び前記ランプガイド溝の付近に露出された第２端子部を備える電源印加部材を有するランプホルダと、
・前記ランプホルダがそれぞれ挿入される複数の開口が形成されている底板と前記底板の周辺部に配置されている側壁とを有する収納容器と、
・前記ランプガイド溝によってガイドされるランプチューブ及び前記ランプチューブの端部から延長され、前記第２端子部に接触される電極部を有する複数のランプと、
・前記底板の背面に露出された前記挿入部にスライド方式で挿入され、前記第１端子部と接触される電源出力端子が形成されている電源供給基板。
【００１３】
本発明１５は、前記発明１４において、前記底板と前記電源供給基板との間に介在され、前記ホルダ本体がそれぞれ挿入される固定溝が形成されている絶縁プレートを更に含む、バックライトアセンブリを提供する。
本発明１６は、前記発明１５において、前記ランプとの干渉を防止する溝が形成されていて、前記ランプホルダをカバーしているサイドモールドと、前記ランプの上部に配置され、前記側壁及び前記サイドモールドによって支持される光学ユニットと、を更に含む、バックライトアセンブリを提供する。
【００１４】
本発明１７は、前記発明１５において、前記側壁に配置され、前記ランプの周辺を囲み、前記ランプから出射された光を前記底板及び側壁が定義する収納空間側に反射しているランプリフレクタと、出光面、前記出光面と対向する対向面及び前記出光面と対向面とを連結し前記ランプが配置されている側面を有する光ガイドプレートと、を更に含むバックライトアセンブリを提供する。
【００１５】
本発明１８は、以下の構成を含む表示装置を提供する。
・上部にランプガイド溝が形成され、下部に挿入部が形成されたホルダ本体と、前記挿入部に露出された第１端子部及び前記ランプガイド溝の付近に露出された第２端子部を備える電源印加部材とを有するランプホルダと、
・前記ホルダ本体がそれぞれスライド方式で挿入される固定溝が形成されている絶縁プレートと、
・前記絶縁プレートに固定された前記ランプホルダがそれぞれ挿入される複数の開口が形成された底板と前記底板の周辺部に配置された側壁と、を有する収納容器と、
・前記ランプガイド溝によってガイドされるランプチューブと前記ランプチューブの端部から延長され、前記第２端子部に接触される電極部とを有する複数のランプと、
・前記底板の背面に露出された前記挿入部にスライド方式で挿入され、前記第１端子部と接触される電源出力端子が形成されている電源供給基板と、
・前記ランプの上部に配置されている光学ユニットと、
・前記光学ユニットの上部に配置されている表示パネル。
【発明の効果】
【００１６】
本発明のランプホルダ、電源供給モジュール、これを有するアセンブリ、及び表示装置によると、ランプとランプホルダと及びランプホルダと電源供給基板とのはんだ付け工程が省略され、バックライトアセンブリ及び表示装置の組立性が向上し、電源供給基板をより容易に補修することができる。
【発明を実施するための最良の形態】
【００１７】
以下、添付する図面を参照して本発明の望ましい実施例を詳細に説明する。
ランプホルダ
図１は、本発明の一実施例によるランプホルダの斜視図である。図２は、図１に示した電源印加部材の斜視図である。
図１及び図２を参照すると、ランプホルダ１０は、表示装置で背面光を提供するランプ３を収納容器に固定し、ランプ３に駆動電源を印加する。ランプホルダ１０は、ホルダ本体１１及び電源印加部材３０を含む。
【００１８】
電源印加部材３０は、ランプホルダ１０に形成された凹部に配置される。
ホルダ本体１１は、射出成型方式で製造されたモールド品である。一実施例で、ホルダ本体１１は、上面１２、上面１２と対向する下面１３、及び上面１２と下面１３とを連結する第１乃至第４側面（１４、１５、１６、１７）を含む。第１側面１４及び第２側面１５は互いに対面する。第３側面１６及び第４側面１７は、互いに対面しそれぞれ第１側面１４及び第２側面１５に連結される。
【００１９】
ホルダ本体１１の上部にはランプガイド溝２１が形成され、下部に挿入部２３が形成される。ランプガイド溝２１は、ランプ３の長手方向が第１方向に位置するように形成され、挿入部２３は、後述する電源供給基板（電源供給ユニットに相当）が第２方向に挿入されるように形成される。例えば、前記第１及び第２方向は、図１に示したように相互同一の方向である。これとは違って、前記第１及び第２方向は相互異なる方向であってもよい。
【００２０】
一実施例で、ランプガイド溝２１は、上面１２から所定の深さで形成され、前記第１側面１４の方向に開口される。ランプガイド溝２１は、ランプ３の形状に対応してラウンド状に形成される。
挿入部２３は、第１側面１４のうち、下部から前記第２側面１５方向に所定の深さで形成され、第３側面１６及び第４側面１７方向に開口されていて、電源供給基板を着脱可能とする。
【００２１】
図３は、図１に示したランプホルダの分解斜視図である。図４は、図３に示したランプホルダをI−I’に沿って見た断面図である。
図２乃至図４を参照すると、ホルダ本体１１には、接続ホール２５及び締結ホール２７がさらに形成される。接続ホール２５は、ランプホルダ１０に形成された凹部に対応する。接続ホール２５は、上面１２から挿入部２３に連通されるように形成される。締結ホール２７は、第３側面１６及び第４側面１７にそれぞれ形成され、接続ホール２５と連通される。
【００２２】
電源印加部材３０は、導電性を有するメタルからなり、接続ホール２５に配置される。電源印加部材３０は、互いに連結された第１端子部（以下、「電源入力部」という）３１及び第２端子部（以下、「電源出力部」という）３７を含む。
挿入部２３は、所定の深さを有し、電源入力部３１は、挿入部２３に露出される。電源出力部３７は、ランプガイド溝２１の付近に配置される。電源入力部３１は、下部で接続ホール２５から挿入部第２方向の反対方向に屈曲される。電源入力部３１は、第１接続部３２及び第２接続部３５を含む。第１接続部３２は、前記挿入部２３が定義する収容空間の上側に配置され、第２接続部３５は、収容空間の下側に配置される。
【００２３】
電源入力部３１は、電源供給基板と結合するための結合構造を有する。結合構造は、例えば、フック形状を有する。
一実施例で、第１接続部３２は、同一の形状を有する二つの第１接続端子３３を含み、第２接続部３５は、同一の形状を有する二つの第２接続端子３６を含む。これと異なる実施例では、第１接続部３２及び第２接続部３５は、二つ以上の端子部に分岐することができる。
【００２４】
第１接続部３２は、第２側面１５から第１側面１４に向う方向に延長された複数の第１接続端子３３を含み、第２接続部３５は、第２側面１５から第１側面１４に向う方向に延長された複数の第２接続端子３６を含む。第１側面１４に近接した第１接続端子３３及び第２接続端子３６の端部はフック形状を有する。
図５は、図３に示したランプホルダをＩＩ−ＩＩ’に沿って見た断面図である。
【００２５】
図３乃至図５を参照すると、電源出力部３７は、ランプガイド溝２１の付近に配置され、ランプ３の外側端に位置したワイヤを保持するワイヤ収納部を含む。一例として、電源出力部３７は、接続ホール２５に露出されてランプガイド溝２１に配置されたランプ３のリード線６の両側に配置される。電源出力部３７は、第１電源端子３８及び第２電源端子３９を含む。第１電源端子３８は、接続ホール２５の上部に延長され、リード線６の付近でリード線６の一側に沿って接続ホール２５の下部に向かって屈曲される。第２電源端子３９は、第１電源端子３８と対向し、リード線６の付近でリード線６の他側に沿って接続ホール２５の下部に向かって屈曲される。
【００２６】
ランプホルダ１０は、ホルダーキャップ４０を更に含む。ホルダーキャップ４０は、ランプガイド溝２１から挿入部２３に向かって第３方向に接続ホール２５に挿入される。例えば、前記第３方向は、図３に示したような方向である。ホルダーキャップ４０は、電源出力部３７を加圧してリード線６に接触させる。
ホルダーキャップ４０は、互いに対称をなす第１固定部及び第２固定部を含む。第１及び第２固定部の上端は互いに連結され、第１及び第２固定部の下端は所定間隔に離隔される。第１固定部及び第２固定部の下端にはそれぞれ固定フック４３が形成される。また、第１固定部及び第２固定部には互いに向い合う傾斜面を含む。
【００２７】
第１固定部及び第２固定部は、接続ホール２５に挿入される場合、固定フック４３は前記ホルダ本体１１に形成された締結ホール２７にそれぞれ挿入される。ここで、固定フック４３は、締結ホール２７に挿入されたまま上下方向にスライド可能になるよう締結ホール２７に結合される。ホルダーキャップ４０が接続ホール２５に挿入されることによって、傾斜面は電源入力部３１、即ち、第１電源端子３８及び第２電源端子３９をそれぞれ加圧する。これによって、第１電源端子３８及び第２電源端子３９はランプ３のリード線６を囲みかつ接触される。
【００２８】
図６は、本発明の他の実施例によるランプホルダの斜視図である。図７は、図６に示したランプホルダをＩＩＩ−ＩＩＩ’に沿って見た断面図である。
図６及び図７を参照すると、ランプホルダ２１０は、ホルダ本体２１１及び電源印加部材２３０を含む。
ホルダ本体２１１は、ランプガイド溝２２１の形状及び接続ホール２５５の形状を除いては図１に示したホルダ本体１１と実質的に同一である。したがって、ホルダ本体２１１は、上面２１２、上面２１２と対向する下面２１３及び上面２１２と下面２１３とを連結する第１乃至第４側面（２１４、２１５、２１６、２１７）を含む。
【００２９】
ホルダ本体２１１には、ランプガイド溝２２１及び挿入部２２３が形成される。ランプガイド溝２２１は、ホルダ本体２１１の上部に形成される。具体的に、ランプガイド溝２２１は、第１側面２１４から第２側面２１５に向かって所定の深さで形成される。
挿入部２２３は、第１側面２１４のうち、ランプガイド溝２２１の下に形成される。挿入部２２３は、第１側面２１４のうち、下部から第２側面２１５の方向に所定の深さで形成され、第３側面２１６及び第４側面２１７の方向に開口される。
【００３０】
ホルダ本体２１１には、接続ホール２２５が更に形成される。接続ホール２２５は、ランプガイド溝２２１及び挿入部２２３にそれぞれ連通されるように形成される。
図８は、図６に示したランプホルダをＩＶ−ＩＶ’に沿って見た断面図である。
図６乃至図８を参照すると、電源印加部材２３０は、電源出力部２３７の形状を除いては図２に示した電源印加部材３０と実質的に同一である。したがって、電源印加部材２３０は、接続ホール２２５に配置され、電源入力部２３１及び電源出力部２３７を含む。
【００３１】
電源入力部２３１は、第１接続部２３２及び第２接続部２３５を含む。電源入力部２３１は、図２乃至図５に示した電源入力部３１と実質的に同一である。
電源出力部２３７は、電源入力部２３１から延長され、ランプガイド溝２２１に露出される。電源出力部２３７は、一側が開口されたリング形状を有する。電源出力部２３７には、ランプガイド溝２２１に挿入されたランプ２０３のリード線２０６が挿入される。
【００３２】
電源供給モジュール
図９は、本発明の一実施例による電源供給モジュールの分解斜視図である。図１０は、図９に示したランプホルダと絶縁プレートとの結合関係を示した斜視図である。図１１は、図９に示した電源供給モジュールの背面斜視図である。
図９を参照すると、電源供給モジュール４００は、電源供給基板４５０及び複数のランプホルダ４１０を含む。ランプホルダ４１０は、図１乃至図５に示したランプホルダ１０と実質的に同一である。
【００３３】
したがって、図９乃至図１１を参照すると、ランプホルダ４１０は、ホルダ本体４１１及び電源印加部材４３０を含む。ホルダ本体４１１の上部にはランプガイド溝４２１が形成され、下部には挿入部４２３が形成される。ホルダ本体４１１には、ホルダ本体４１１の上面４１２から挿入部４２３に連通される接続ホールが形成される。電源印加部材４３０は、電源入力部４３１及び電源出力部（図示せず）を含み、電源入力部４３１は、第１接続部（図示せず）及び第２接続部４３５を含む。また、図１に示すように、ホルダ本体４１１は第１乃至第４側面（図示せず）を含む。
【００３４】
第１接続部は、挿入部４２３の収容空間の上側に配置され、第２接続部４３５は、収容空間の下側に配置される。第１接続部は、第２側面から第１側面に向う方向に延長された複数の第１接続端子（図示せず）を含み、第２接続部４３５は、第２側面から第１側面に向かう方向に延長された複数の第２接続端子４３６を含む。第１側面に近接している第１接続端子及び第２接続端子４３６の端部はフック形状を有する。
【００３５】
図９乃至図１１を参照すると、電源供給基板４５０は、電源入力部４３１と電気的に接続され、ランプホルダ４１０にランプの駆動電源を印加する。電源供給基板４５０は、印刷回路基板及び印刷回路基板に実装された電源供給素子を含むことができる。電源供給基板４５０の一側のエッジに沿って複数の電源出力端子４５３が形成される。例えば、電源出力端子４５３は、印刷回路基板に形成された導電配線の一部が表面に露出されて形成される。
【００３６】
本実施例で、電源出力端子４５３は、電源供給基板４５０の上面４１２に形成される。これとは異なる実施例で、電源出力端子４５３は、電源供給基板４５０の背面に形成されるか、電源供給基板４５０の上面及び背面の両方に形成することができる。
図１０を参照すると、電源供給モジュール４００は、絶縁プレート４６０を更に含む。絶縁プレート４６０は、電気絶縁性を有する樹脂からなることが望ましい。絶縁プレート４６０は、電源供給基板４５０と対向し、電源供給基板４５０に沿って延長して形成される。絶縁プレート４６０には、電源出力端子４５３に対応する固定溝４６３が形成される。
【００３７】
固定溝４６３は、絶縁プレート４６０の長辺側のエッジから所定の深さで形成され、絶縁プレート４６０の上面と下面方向にそれぞれ開口される。固定溝４６３には、前記ランプホルダ４１０がそれぞれスライド方式で挿入されて固定される。
図１２は、図９に示した電源供給モジュールの斜視図である。図１３は、図１２に示した電源供給モジュールをＶ−Ｖ’に沿って見た断面図である。
【００３８】
図１２及び図１３を参照すると、電源供給基板４５０は、絶縁プレート４６０に固定されたランプホルダ４１０の挿入部４２３にスライド方式で挿入される。ここで、電源印加部材４３０の第１接続部４３２は、電源供給基板４５０に形成された電源出力端子４５３に接触され、第２接続部４３５は、電源供給基板４５０の背面に接触される。
ここで、前記第１接続部４３２及び第２接続部４３５は、フック形状を有するので、電源供給基板４５０が挿入部４２３に挿入されるとき、衝撃を吸収して第１接続部４３２及び第２接続部４３５の損傷を防止する。
【００３９】
ランプ４０３の端部は、ランプガイド溝４２１によってガイドされ、ランプ４０３のリード線４０６は、電源印加部材４３０の電源出力部に挿入される。その結果、電源供給基板４５０とランプホルダ４１０及びランプ４０３は電気的に連結される。
バックライトアセンブリ
図１４は、本発明の一実施例によるバックライトアセンブリの分解斜視図である。図１５は、図１４に示したバックライトアセンブリをＶＩ−ＶＩ’に沿って見た断面図である。  図１４を参照すると、バックライトアセンブリ６００は複数のランプホルダ６１０、収納容器６７０、複数のランプ６０３、及び電源供給基板６５０を含む。
【００４０】
ランプホルダ６１０は、図９乃至図１３に示したランプホルダ４１０と実質的に同一である。
収納容器６７０は、底板６７１、及び第１乃至第４側壁（６７３、６７５、６７７、６７９）を含む。第１側壁６７３及び第２側壁６７５は互いに対向するように配置される。第３側壁６７７及び第４側壁６７９は互いに対向するように配置され、第１側壁６７３及び第２側壁６７５をそれぞれ連結する。第３側壁６７７及び第４側壁６７９の上端には段差が形成される。第１側壁６７３及び第２側壁６７５付近の底板６７１には複数の開口６７４が形成される。
【００４１】
ランプ６０３は、底板６７１に互いに並んで配置され、光を出射する。ランプ６０３は、ランプチューブ及び電極部を含む。ランプチューブは直管形状を有し、内部に注入されたアルゴン及び水銀などのような放電ガスを含む。ランプチューブの端部には電極部が配置される。
電極部は、放電電極及びリード線を含む。放電電極は前記ランプチューブの内部に配置され、リード線は放電電極から前記ランプチューブの外部に延長される。図１５を参照すると、ランプチューブはランプガイド溝６２１によってガイドされ、リード線はランプチューブの端部から延長されて電源印加部材６３０の電源出力部６３７に挿入されて接触される。
【００４２】
バックライトアセンブリ６００は、絶縁プレート６６０を更に含む。絶縁プレート６６０は、図９乃至図１３に示した絶縁プレート４６０と実質的に同一である。絶縁プレート６６０は、底板６７１の背面に配置され、絶縁プレート６６０に形成された固定溝にそれぞれ挿入された前記ランプホルダ６１０は、底板６７１に形成された開口６７４にそれぞれ挿入される。
【００４３】
図１４及び図１５をさらに参照すると、電源供給基板６５０は、ランプホルダ６１０にランプ駆動電源を印加する。電源供給基板６５０は、電源出力端子６５３が形成される位置を除いては図９乃至図１３に示した電源供給基板４５０と実質的に同一である。本実施例で、電源出力端子６５３は、電源供給基板６５０の背面に形成される。
電源供給基板６５０は、絶縁プレート６６０の下に配置される。電源供給基板６５０は、絶縁プレート６６０に固定されたランプホルダ６１０の挿入部６２３にスライド方式で挿入される。ここで、電源印加部材６３０の第２接続部６３５は、電源供給基板６５０の背面に形成された出力端子６５３に接触され、第１接触部６３２は電源供給基板６５０の上面に接触される。
【００４４】
バックライトアセンブリ６００は、保護カバー６８５、反射板６７８、サイドモールド６８１、及び光学ユニット６９０を更に含む。
保護カバー６８５は、電源供給基板６５０をカバーし、電源供給基板６５０を外部から電気的に絶縁させ電子波を遮蔽する。
反射板６７８は、収納容器６７０の底板６７１に配置され、ランプ６０３が出射した光を上部に反射する。
【００４５】
サイドモールド６８１は、第１側壁６７３側及び第２側壁６７５側の底板６７１にそれぞれ配置され、ランプホルダ６１０をカバーする。サイドモールド６８１の下端のエッジには、ランプ６０３との干渉を防止するために溝が形成され、サイドモールド６８１の上部には段差部が形成される。
光学ユニット６９０は、ランプ６０３から出射された光の光学特性、例えば、輝度均一性及び正面輝度を向上させて上部に出射する。光学ユニット６９０は、第３側壁６７７、第４側壁６７９、及びサイドモールド６８１によって支持される。光学ユニット６９０は、拡散板６９１、拡散シート６９３、及び集光シート６９５を含む。拡散板６９１、拡散シート６９３、及び集光シート６９５の順に積層される。
【００４６】
拡散板６９１及び拡散シート６９３は、ランプ６０３から出射された光を拡散させて輝度均一性がより向上された光を出射する。集光シート６９５は、互いに異なる方向、望ましくは互いに垂直をなす方向に拡散板６９１からの出射光を集光してバックライトアセンブリ６００の正面輝度を向上させる。
図１６は、本発明の他の実施例によるバックライトアセンブリの分解斜視図である。
【００４７】
図１６を参照すると、バックライトアセンブリ８００は、複数のランプホルダ８１０、収納容器８７０、複数のランプ８０３、及び電源供給基板８５０を含む。
ランプホルダ８１０は、図６乃至図８に示したランプホルダ２１０と実質的に同一である。
収納容器８７０は、側壁の形状及び底板８７１に形成される開口８７４の位置及び個数を除いては図１４及び図１５に示した収納容器６７０と実質的に同一である。したがって、収納容器８７０は、第１乃至第４側壁（８７３、８７５、８７７、８７９）を含み、第３側壁８７７及び第４側壁７８９は、図１４に示した第３側壁６７７及び第４側壁６７９と違ってフラットな形状を有する。開口８７４は、第１乃至第４側壁（８７３、８７５、８７７、８７９）がそれぞれ接する底板７８１の四つの周辺領域に形成される。
【００４８】
ランプ８０３は、図１４及び図１５に示したランプ６０３と実質的に同一である。
バックライトアセンブリ８００は、ボトムフレームモールド８６０を更に含む。ボトムフレームモールド８６０は、支持部８６１及びフレーム部８６３を含む。支持部８６１は、底板８７１に対応し、支持部８６１の中央部は開口される。フレーム部８６３は、支持部８６１のエッジから延長し、第１乃至第４側壁（８７３、８７５、８７７、８７９）に対応する。支持部８６１とフレーム部８６１とが接する角にはランプホルダ８１０の結合を容易にするために開口８６４が形成される。
【００４９】
ボトムフレームモールド８６０は、電気絶縁性を有する樹脂からなり、収納容器８７０に収納される。ランプ８０３は、ボトムフレームモールド８６０の互いに対向するフレーム部８６３にそれぞれ配置される。
バックライトアセンブリ８００は、ランプリフレクタ８８１、光ガイドプレート８９１、及び光学シート８９２を更に含む。
【００５０】
ランプリフレクタ８８１は、断面が「Ｃ」の字形状を有する。ランプリフレクタ８８１は、ランプ８０３の周辺を囲み、ランプ８０３から出射された光をボトムフレームモールド８６０の収納空間側に反射する。
光ガイドプレート８９１及び光学シート８９２は、ランプ８０３から出射された光をガイドして上部に出射する。光学シート８９２は、反射シート８９３、拡散シート８９５、及び２枚の集光シート８９７を含み、反射シート８９３、光ガイドプレート８９１、拡散シート８９５、及び集光シート８９７は、その順に前記支持部８６１に積層される。  
【００５１】
光ガイドプレート８９１は、ランプ８０３から出射され、側面に入射された光をガイドして上部に出射する。光ガイドプレート８９１は、光透過率、耐熱性、耐化学性、及び機械的強度などが優秀な高分子樹脂（ｐｏｌｙｍｅｒ  ｒｅｓｉｎ）を含む。高分子樹脂の例としては、ポリメチルメタクリレート、ポリアミド、ポリイミド、ポリプロピレン、及びポリウレタンなどを挙げることができる。
【００５２】
反射シート８９３は、光ガイドプレート８９１の下面に露出される光を反射して光ガイドプレート８９１の下面に再び入射させる。拡散シート８９５は、光ガイドプレート８９１の上面から出射された光の輝度均一性を向上させる。集光シート８９７は、拡散シート８９５から出射された光の正面輝度を向上させて出射する。
図１７は、図１６に示したバックライトアセンブリの背面斜視図である。図１８は、図１６に示したバックライトアセンブリをＶＩＩ−ＶＩＩ’に沿って見た断面図である。
【００５３】
図１６乃至図１８を参照すると、電源供給基板８５０は、開口８７４に対応して上面に電源出力端子８５３が形成されたことを除いては図１４及び図１５に示した電源供給基板６５０と実質的に同一である。  
ランプホルダ８１０は、ホルダ本体８１１、及び電源印加部材８３０を含む。ホルダ本体８１１には、図６に示したように、上面、下面、及び第１乃至第４側面を含む。ホルダ本体８１１には、ランプガイド溝、挿入部８２３、及び接続ホール８２５が形成される。電源印加部材８３０は、挿入部８２３に露出される電源入力部８３１及び前記ランプガイド溝に配置される電源出力部８３７を含む。
【００５４】
ランプホルダ８１０は、ランプリフレクタ８８１の長手方向の端部にそれぞれ結合される。ランプ８０３は前記ランプガイド溝に挿入され、ランプ８０３のリード線８０６は、電源出力部８３７に挿入される。ここで、ホルダ本体８１１の上面及び第４側面は、それぞれランプリフレクタ８８１に接触される。ランプリフレクタ８８１のうち、ランプホルダ８１０の下面に対応する部分は開口される。
【００５５】
ランプリフレクタ８８１に固定されたランプホルダ８１０は、ボトムフレームモールド８６０の角に形成された開口８６４及び収納容器８７０の底板８７１に形成された開口８７４に挿入される。ここで、挿入部８２３は、図１８に示したように、底板８７１の背面に露出される。電源供給基板８５０は、挿入部８２３にスライド方式で挿入される。ここで、電源入力部８３１の第１接触部８３２は、電源供給基板８５０に形成された電源出力端子８５３に接触され、電源入力部８３１の第２接続部８３５は電源供給基板８５０の背面に接触される。
【００５６】
表示装置
図１９は、本発明の一実施例による表示装置の分解斜視図である。図２０は、図１９に示した表示装置をＶＩＩＩ−ＶＩＩＩ’に沿って見た断面図である。
図１９及び図２０を参照すると、表示装置１０００は、複数のランプホルダ９１０、絶縁プレート９６０、収納容器９７０、複数のランプ９０３、電源供給基板９５０、光学ユニット９９０、及び表示パネル１０１０を含む。
【００５７】
複数のランプホルダ９１０、絶縁プレート９６０、収納容器９７０、複数のランプ９０３、電源供給基板９５０、及び光学ユニット９９０は、図１４及び図１５に示したランプホルダ６１０、絶縁プレート６６０、収納容器６７０、複数のランプ６０３、電源供給基板６５０、及び光学ユニット６９０と実質的に同一である。
表示装置１０００は、絶縁プレート９６０、保護カバー９８５、反射板９７８、及びサイドモールド９８１を更に含む。絶縁プレート９６０、保護カバー９８５、反射板９７８、及びサイドモールド９８１は、図１４及び図１５示した絶縁プレート６６０、保護カバー６８５、反射板６７８、及びサイドモールド６８１と実質的に同一である。
【００５８】
表示装置１０００は、ミドルフレームモールド１０３０を更に含む。ミドルフレーム１０３０は、収納容器９７０と結合する。ミドルフレームモールド１０３０は支持板及びサイドカバー部を含む。支持板は四角フレームの形状を有し、光学ユニット９９０のエッジを押す。支持板には表示パネル１０１０が配置される段差部が形成される。サイドカバー部は、支持板から延長し、収納容器９７０の第１乃至第４側壁（９７３、９７５、９７７、９７９）に結合する。
【００５９】
表示パネル１０１０は、光学ユニット９９０から出射された光に基づいて画像を表示する。表示パネル１０１０は、第１基板１０１１、第１基板１０１１と対向する第２基板１０１３、及び第１基板１０１１と第２基板１０１３との間に介在された液晶層を含む。
表示装置１０００は、印刷回路基板１０１５及び連結フィルム１０１７を更に含む。印刷回路基板１０１５は、表示パネル１０１０にパネル駆動信号を出力する。連結フィルム１０１７の一側のエッジは第１基板１０１１のエッジに電気的に連結され、連結フィルム１０１７の他側のエッジは印刷回路基板１０１５と電気的に連結される。
【００６０】
表示装置１０００は、表示パネル１０１０の有効表示領域を露出させて収納容器９７０またはミドルフレームモールド１０３０と結合するトップシャーシ１０５０を更に含む。
以上、詳細に説明したように本発明によると、ランプのリード線はランプホルダの電源出力部に着脱式で結合され、電源供給基板はランプホルダに形成された挿入部にスライディングされて挿入される。したがって、リード線、ランプホルダ、及び電源供給基板の間の電気的連結のためのはんだ付け工程が省略され、バックライトアセンブリ及び表示装置の組立性が向上する。
【００６１】
また、電源供給基板が挿入部から着脱可能であることから、不良となった電源供給基板を切り替えることができるので、電源供給モジュール、及びバックライトアセンブリをより容易に修理することができる。
＜付記＞
（付記１）
電源供給ユニットが着脱可能であり、ランプを保持するためのランプホルダであって、
前記ランプを保持するためのランプガイド溝が上部に形成され、前記電源供給ユニットを着脱するための挿入部が下部に形成されているホルダ本体と、
前記挿入部の壁面上に前記電源供給ユニットと接触可能に形成されている第１端子部と、前記ランプガイド溝の端部に前記ランプと接触可能に配置されている第２端子部とを有する電源印加部材と、
を含むランプホルダ。
（付記２）
前記電源印加部材は、前記ホルダ本体に形成されている凹部に配置されて、前記ランプガイド溝は、前記ランプの設置方向に沿って形成され、前記挿入部は、前記電源供給ユニットの着脱方向に開口されて形成されている、付記１に記載のランプホルダ。
（付記３）
前記電源印加部材の前記第１端子部の一部は、前記電源供給ユニットの着脱方向に沿って形成されている、付記２に記載のランプホルダ。
（付記４）
前記電源印加部材の前記第２端子部は、前記ランプガイド溝の端部に前記ランプと接触可能に配置されており、前記ランプの外側端に位置したワイヤを支持するワイヤ収納部を有する、付記２に記載のランプホルダ。
（付記５）
一側エッジに沿って複数の電源出力端子が形成されている電源供給ユニットと、
前期電源供給ユニットが着脱可能であり、ランプを保持するためのランプホルダであって、前記ランプを保持するためのランプガイド溝が上部に形成され、前記電源供給ユニットの前記一側が挿入される挿入部が下部に形成されているホルダ本体と、前記挿入部の壁面上に形成され、前記電源出力端子に接触される第１端子部及び前記ランプガイド溝の端部に前記ランプと接触可能に配置されている第２端子部を備える電源印加部材と、を有する複数のランプホルダと、
を含む電源供給モジュール。
（付記６）
電源供給ユニットが着脱可能であり、ランプを保持するためのランプホルダであって、前記ランプを保持するためのランプガイド溝が上部に形成され、前記電源供給ユニットを着脱するための挿入部が下部に形成されているホルダ本体と、前記挿入部の壁面上に前記電源供給ユニットと接触可能に形成されている第１端子部及び前記ランプガイド溝の端部に前記ランプと接触可能に配置されている第２端子部を備える電源印加部材を有するランプホルダと、
前記ランプホルダがそれぞれ挿入される複数の開口が形成されている底板と前記底板の周辺部に配置されている側壁とを有する収納容器と、
前記ランプガイド溝によってガイドされるランプチューブ及び前記ランプチューブの端部から延長され、前記第２端子部に接触される電極部を有する複数のランプと、
前記底板の背面に露出された前記挿入部にスライド方式で挿入され、前記第１端子部と接触される電源出力端子が形成されている電源供給ユニットと、
を含むバックライトアセンブリ。
（付記７）
電源供給ユニットが着脱可能であり、ランプを保持するためのランプホルダであって、前記ランプを保持するためのランプガイド溝が上部に形成され、前記電源供給ユニットを着脱するための挿入部が下部に形成されたホルダ本体と、前記挿入部の壁面上に前記電源供給ユニットと接触可能に形成されている第１端子部及び前記ランプガイド溝の端部に前記ランプと接触可能に配置されている第２端子部を備える電源印加部材とを有するランプホルダと、
前記ホルダ本体がそれぞれスライド方式で挿入される固定溝が形成されている絶縁プレートと、
前記絶縁プレートに固定された前記ランプホルダがそれぞれ挿入される複数の開口が形成された底板と前記底板の周辺部に配置された側壁と、を有する収納容器と、
前記ランプガイド溝によってガイドされるランプチューブと前記ランプチューブの端部から延長され、前記第２端子部に接触される電極部とを有する複数のランプと、
前記底板の背面に露出された前記挿入部にスライド方式で挿入され、前記第１端子部と接触される電源出力端子が形成されている電源供給ユニットと、
前記ランプの上部に配置されている光学ユニットと、
前記光学ユニットの上部に配置されている表示パネルと、
を含む表示装置。
【産業上の利用可能性】
【００６２】
以上、本発明の実施例によって詳細に説明したが、本発明はこれに限定されず、本発明が属する技術分野において通常の知識を有するものであれば本発明の思想と精神を離脱することなく、本発明を修正または変更できる。
【図面の簡単な説明】
【００６３】
【図１】本発明の一実施例によるランプホルダの斜視図である。
【図２】図１に示した電源印加部材の斜視図である。
【図３】図１に示したランプホルダの分解斜視図である。
【図４】図３に示したランプホルダをI−I’に沿って見た断面図である。
【図５】図３に示したランプホルダをＩＩ−ＩＩ’に沿って見た断面図である。
【図６】本発明の他の実施例によるランプホルダの斜視図である。
【図７】図６に示したランプホルダをＩＩＩ−ＩＩＩ’に沿って見た断面図である。
【図８】図６に示したランプホルダをＩＶ−ＩＶ’に沿って見た断面図である。
【図９】本発明の一実施例による電源供給モジュールの分解斜視図である。
【図１０】図９に示したランプホルダと絶縁プレートとの結合関係を示した斜視図である。
【図１１】図９に示した電源供給モジュールの背面斜視図である。
【図１２】図９に示した電源供給モジュールの斜視図である。
【図１３】図１２に示した電源供給モジュールをＶ−Ｖ’に沿って見た断面図である。
【図１４】本発明の一実施例によるバックライトアセンブリの分解斜視図である。
【図１５】図１４に示したバックライトアセンブリをＶＩ−ＶＩ’に沿って見た断面図である。
【図１６】本発明の他の実施例によるバックライトアセンブリの分解斜視図である。
【図１７】図１６に示したバックライトアセンブリの背面斜視図である。
【図１８】図１６に示したバックライトアセンブリをＶＩＩ−ＶＩＩ’に沿って見た断面図である。
【図１９】本発明の一実施例による表示装置の分解斜視図である。
【図２０】図１９に示した表示装置をＶＩＩＩ−ＶＩＩＩ’に沿って見た断面図である。
【符号の説明】
【００６４】
１０    ランプホルダ
１１    ホルダ本体
２３    挿入部
２５    接続ホール
２７    締結ホール
３０    電源印加部材
３１    第１端子部
３２    第１接続部
３５    第２接続部
３７    第２端子部
４０    ホルダーキャップ
４３    固定フック
１２１    ランプガイド溝
４００    電源供給モジュール
４５０    電源供給基板
４５３    電源出力端子
４６０    絶縁プレート
４６３    固定溝
６００    バックライトアセンブリ
６７０    収納容器
６８１    サイドモールド
６９０    光学ユニット
８８１    ランプリフレクタ
８９１    光ガイドプレート
１０００    表示装置
１０１０    表示パネル
【図１】
0005280641.tif 000002
【図２】
0005280641.tif 000003
【図３】
0005280641.tif 000004
【図４】
0005280641.tif 000005
【図５】
0005280641.tif 000006
【図６】
0005280641.tif 000007
【図７】
0005280641.tif 000008
【図８】
0005280641.tif 000009
【図９】
0005280641.tif 000010
【図１０】
0005280641.tif 000011
【図１１】
0005280641.tif 000012
【図１２】
0005280641.tif 000013
【図１３】
0005280641.tif 000014
【図１４】
0005280641.tif 000015
【図１５】
0005280641.tif 000016
【図１６】
0005280641.tif 000017
【図１７】
0005280641.tif 000018
【図１８】
0005280641.tif 000019
【図１９】
0005280641.tif 000020
【図２０】
0005280641.tif 000021